(57)【要約】      （修正有）【課題】使用形態を変更可能な携帯バッグを提供する。【解決手段】携帯バッグ１の上端に設けられる開閉可能なファスナー１１と、その上端中央の両側に相対するように設けられる提げ部１２と、携帯バッグ１の左右両側に設けられ、肩掛け帯の両端を引っ掛けられる掛け環１４と、を備える肩掛け帯が内蔵する。２つの提げ部１２に対応する携帯バッグ１の兩外側に、提げ部１２を収納可能の提げ部収納袋１３が設けられ、且つ携帯バッグの背面側に、相対すると同時にそれぞれファスナー１６によって開閉可能な略八字状に呈する２つの収納スペースが設けられ、各収納スペース内の上下端の間に、長さ調節可能なストラップが縫い付けられるような構造を有する。提げ部１２、肩掛け帯またはストラップ等の部品が、使用者に異なる使用形態の機能を提供する。【選択図】図１
0003191671.tif 000002
【実用新案登録請求の範囲】
【請求項１】
携帯バッグの上端に設けられる開閉可能なファスナーと、
その上端中央の両側に相対するように設けられる提げ部と、
前記携帯バッグの左右両側に設けられ、肩掛け帯の両端を引っ掛けられる掛け環と、を備える肩掛け帯が内蔵する携帯バッグであって、
前記２つの提げ部に対応する前記携帯バッグの兩外側に、前記提げ部を収納可能の提げ部収納袋が設けられ、且つ前記携帯バッグの背面側に、互いに相対すると同時にそれぞれファスナーによって開閉可能な略八字状に呈する２つの収納スペースが更に設けられ、また、前記各収納スペース内の上下端の間に、長さ調節可能なストラップが縫い付けられることを特徴とする、使用形態を変更可能な携帯バッグ。
【請求項２】
前記携帯バッグの正面側に、上下が閉鎖されると同時に、左右両側に開閉可能なファスナーが縫い付けられた収納スペースが設けられることを特徴とする、請求項１記載の使用形態を変更可能な携帯バッグ。
【請求項３】
前記携帯バッグの上端に設けられるファスナーの両端のうちに、その一端が対応側の側面の略上方に延ばし、他端が対応側の底面の略内側に延ばすことを特徴とする、請求項１記載の使用形態を変更可能な携帯バッグ。
【考案の詳細な説明】
【技術分野】
【０００１】
本考案は、ハンドバッグや肩掛けバッグとして使える携帯バッグに関するものであり、更に、提げ部を対応の所に設けられる提げ部収納袋内に収納できると同時に、携帯バッグの背面側にストラップを収納するための、ファスナーによって開閉可能な収納スペースが設けられることによって、異なる使用形態に変更できる携帯バッグに関する。
【背景技術】
【０００２】
従来より、一般のブリーフケース、バックパック、又は他のあらゆる種類の収納且つ持ち運びに便利なバッグは、大体、単一の携帯機能を採用するデザインであって、例えば、バックパックは使用者の背後で背負うだけの使用形態しかなく、ブリーフケースも、使用者に手で提げるだけの使用形態しか提供しない。後ほど、前述したバッグの利便性を更に上げるため、例えば、ブリーフケース、バックパック、トートバッグ等のバッグの左右両側に掛け環を設け、そしてバッグ内に肩掛け帯を持ち、肩掛け帯を取り出してその両端をバッグ左右両側の掛け環に引っ掛けることで、上記のバッグが手で提げる以外、肩に掛けることも可能になる。
【０００３】
しかし、前述した手提げと肩掛けの両方の機能を持つバッグが、手提げ形態で使用するときに、肩掛け帯をバッグ内に収納することができるが、肩掛け形態に変更するとき、提げ部は依然として露出した状態になるので、バッグを使用するときにの一体感を妨げると同時に、操作上の問題を引き起こすこともある。
【０００４】
また、バッグを使用するときの機動性を求める時、手提げと肩掛けの使用形態は使用者に負担をかけるため、ブリーフケース、ＰＣバッグ又はトートバッグ等のバッグが不向きである。その点、バックパックは機動性に優れるが、一般のバックパックは単一の使用形態しかないため、使用者の他の需要を同時に満たすことができない。故に、使用者があらゆる場面での利便性や機動性の需要に対処するため、異なる使用形態をもつバッグを２つ以上を用意しなければならず、より高い費用を要すると同時に、バックを任意の時に取り替えることもできない。
【考案の概要】
【考案が解決しようとする課題】
【０００５】
上記問題に鑑み、従来バックが１つや２つの使用形態しか変更できない上、そのうち１つの使用形態に変更する時に、他の使用形態の部品が露出する問題を如何に解決するかは、当前の業界の一つの問題となっている。このような実情に鑑み、本考案は、提げ部と、ストラップと、肩掛け帯等の部品を収納できる収納スペースを備え、且つ１つの使用形態を使う時に、他の使用形態の部品を隠す事ができる携帯バッグを提供しようとするものである。
【課題を解決するための手段】
【０００６】
前述した課題を解決するため、本考案は、携帯バッグの上端に設けられる開閉可能なファスナーと、その上端中央の両側に相対するように設けられる提げ部と、前記携帯バッグの左右両側に設けられ、肩掛け帯の両端を引っ掛けられる掛け環と、を備える肩掛け帯が内蔵する携帯バッグであって、前記２つの提げ部に対応する前記携帯バッグの兩外側に、前記提げ部を収納可能の提げ部収納袋が設けられ、且つ前記携帯バッグの背面側に、互いに相対すると同時にそれぞれファスナーによって開閉可能な略八字状に呈する２つの収納スペースが更に設けられ、また、前記各収納スペース内の上下端の間に、長さ調節可能なストラップが縫い付けられることで構成した、使用形態を変更可能な携帯バッグを提供する。
【０００７】
また、本考案は、前記携帯バッグの正面側に、上下が閉鎖されると同時に、左右両側に開閉可能なファスナーが縫い付けられた収納スペースが設けられた使用形態を変更可能な携帯バッグを提供する。
【０００８】
また、本考案は、前記携帯バッグの上端に設けられるファスナーの両端のうちに、その一端が対応側の側面の略上方に延ばし、他端が対応側の底面の略内側に延ばした使用形態を変更可能な携帯バッグを提供する。
【考案の効果】
【０００９】
本考案によれば、前述した携帯バッグ提げ部のところに設けられた提げ部収納袋と、背面側に設けられ、ストラップを収納する開閉可能な収納スペースを介して、携帯バッグを手提げ、肩掛け又は背負うという異なる使用形態を任意の時に変更可能となり、且つそのうちの１つの使用形態を使う時に、他の使用形態に使用する部品、例えば提げ部、ストラップ、或いは肩掛け帯を完全に隠す事ができるため、各使用形態を完全かつ独立的に表現することができる。
【図面の簡単な説明】
【００１０】
以下、図面を参照して本考案の実施形態を詳しく説明する。
【図１】本考案の手提げ使用形態を示す図である。
【図２】本考案の提げ部を収納した状態を示す図である。
【図３】本考案の肩掛け使用形態を示す図である。
【図４】本考案の背面側の構造を示す図である。
【図５】本考案の背負う使用形態を示す図である。
【図６】本考案の背負う使用形態の正面側を示す図である。
【考案を実施するための形態】
【００１１】
図１を参照して、本考案の携帯バッグ１は、上端に開閉可能なファスナー１１が設けられ、ファスナー１１の一端が左側の略上方に延ばし、他端が右側に延ばした後、少し底面に延ばす（図４、図５又は図６に参照）。また、携帯バッグ１の上端中央の両側に提げ部１２が設けられると同時に、２つの提げ部１２に対応する携帯バッグ１の外側面に、提げ部１２を収納可能の提げ部収納袋１３が設けられる。更に、携帯バッグ１の左右両側に掛け環１４が設けられ、及び携帯バッグ１の一面側に上下が閉鎖されると同時に、左右両側に開閉可能なファスナー１６が縫い付けられた収納スペース１５が設けられている。
【００１２】
故に、図１に示す携帯バッグ１が手提げ使用形態の状態であり、その状態を肩掛け使用形態に変更する時は、提げ部１２を図２に示すように提げ部収納袋１３内に収納した後、図３に示すように携帯バッグ１内に収納した肩掛け帯２を取り出して、その両端の掛け金具２１を携帯バッグ１の左右両側に設けられた掛け環１４に引っ掛け、携帯バッグ１を肩掛け使用形態に変更して使用すると共に、上記提げ部１２を提げ部収納袋１３に収納することで、携帯バッグ１を肩掛けの状態を完全的に表現すると共に、ファスナー１１の操作も妨げることにならない。
【００１３】
なお、図４と図５に示すように、携帯バッグ１の背面側に、略八字状に呈して開閉可能なファスナー１８を備える収納スペース１７が設けられ、各収納スペース１７内の上下端の間に、長さ調節可能なストラップ１９が縫い付けられている。そのため、携帯バッグ１の２つの提げ部１２が提げ部収納袋１３に収納され、且つ上記肩掛け帯２を携帯バッグ１内に収納された後に、前記ストラップ１９を収納スペース１７内から取り出すことで、携帯バッグ１を直立状態にしたバックパックとしての形態で使用することができる。その時、ファスナー１１が開閉する位置を直立状態の上端に移し、同時に図６に示すように直立状態に移した携帯バッグ１の正面側にある収納スペース１５を、その上のファスナー１６によって開閉して使用者に品物を収納する空間を提供できる。
【００１４】
従って、前述した携帯バッグ１が手提げ形態から肩掛け又は背負う形態に変更される時、提げ部１２を提げ部収納袋１３内に収納することができ、また、ストラップ１９が使用しない時にも同様に、携帯バッグ１の背面側の収納スペース１７内に収納することができる。そのため、１つの形態を使う時に、他２つの使用形態の部品を完全に隠す事ができるので、各使用形態を完全かつ独立的に表現することができる。
【００１５】
以上、本考案の好適な実施例を開示したが、本考案はこれらの実施例により限定されるものではない。当業者であれば、本考案の精神と範囲を逸脱しない限り、多少の変更や潤色を加えることができる。よって、本考案の保護範囲は実用新案登録請求の範囲の記載を基準とする。
【符号の説明】
【００１６】
１    携帯バッグ
１１  ファスナー
１２  提げ部
１３  提げ部収納袋
１４  掛け環
１５  収納スペース
１６  ファスナー
１７  収納スペース
１８  ファスナー
１９  ストラップ
２    肩掛け帯
２１  掛け金具
【図１】
0003191671.tif 000003
【図２】
0003191671.tif 000004
【図３】
0003191671.tif 000005
【図４】
0003191671.tif 000006
【図５】
0003191671.tif 000007
【図６】
0003191671.tif 000008